(57)【特許請求の範囲】
【請求項１】
患者が看護師を呼び出すためのナースコール子機と、前記ナースコール子機による呼び出しの発生を報知するとともに呼出信号を中継する廊下灯と、前記ナースコール子機による呼び出しに応答するためのナースコール親機と、呼び出し及び応答に係る機器間での通信を制御する制御機とを有し、前記制御機と前記廊下灯及び前記ナースコール親機とが中継器を介してＬＡＮ接続されたナースコールシステムであって、
前記制御機に、前記通信に使用する通信制御回路を複数設けるとともに、各通信制御回路毎にＬＡＮ接続のための接続端子を設けており、
個々の前記接続端子は、それぞれ異なる前記中継器にＬＡＮケーブルにより接続されるとともに、前記通信制御回路のうちの何れか１つを通常モードにして前記通信を行う一方、
前記廊下灯と前記ナースコール親機と前記制御機との少なくとも何れか１つに、使用している前記通信制御回路での通信において所定の通信異常の発生を検知すると、前記通信に使用する前記通信制御回路を、使用していた前記通信制御回路からスリープモードにしていた他の前記通信制御回路を通常モードへ移行させて切り替える切替手段を設けて、
前記通信制御回路が切り替えられると、前記制御機が接続される前記中継器も切り替わることを特徴とするナースコールシステム。
【発明の詳細な説明】
【技術分野】
【０００１】
本発明は、ナースコール親機や廊下灯、制御機等を有するナースコールシステムに関するものである。
【背景技術】
【０００２】
従来、一般的なナースコールシステムには、ナースステーションに設置されたナースコール親機や患者がナースコール親機を呼び出すためのナースコール子機、ナースコール親機とナースコール子機との間の呼び出し／応答等を制御するための制御機、及び病室前等に設置されてナースコール子機による呼び出しの発生を報知する等のための廊下灯等が設けられている。そして、特許文献１に記載のナースコールシステムのように、制御機とナースコール親機と廊下灯とは、ＬＡＮ回線により接続されている。
【先行技術文献】
【特許文献】
【０００３】
【特許文献１】特開２０１４−８３３０１号公報
【発明の概要】
【発明が解決しようとする課題】
【０００４】
しかしながら、従来のナースコールシステムでは、制御機とナースコール親機、若しくは、制御機と廊下灯とが１本のＬＡＮケーブルで接続されているため、ＬＡＮケーブルが断線する等して制御機とナースコール親機や廊下灯との間で通信異常が発生すると、ナースコールシステム全体が停止してしまうという問題があった。
【０００５】
そこで、本発明は、上記問題に鑑みなされたものであって、たとえ制御機とナースコール親機や廊下灯との間で通信異常が発生したとしても、その通信を維持することができる信頼性の高いナースコールシステムを提供しようとするものである。
【課題を解決するための手段】
【０００６】
上記課題を解決する為に、本発明の請求項１に記載の発明は、患者が看護師を呼び出すためのナースコール子機と、ナースコール子機による呼び出しの発生を報知するとともに呼出信号を中継する廊下灯と、ナースコール子機による呼び出しに応答するためのナースコール親機と、呼び出し及び応答に係る機器間での通信を制御する制御機とを有し、制御機と廊下灯及びナースコール親機とが中継器を介してＬＡＮ接続されたナースコールシステムであって、制御機に、通信に使用する通信制御回路を複数設けるとともに、各通信制御回路毎にＬＡＮ接続のための接続端子を設けており、個々の接続端子は、それぞれ異なる中継器にＬＡＮケーブルにより接続されるとともに、通信制御回路のうちの何れか１つを通常モードにして通信を行う一方、廊下灯とナースコール親機と制御機との少なくとも何れか１つに、使用している通信制御回路での通信において所定の通信異常の発生を検知すると、通信に使用する通信制御回路を、使用していた通信制御回路からスリープモードにしていた他の通信制御回路を通常モードへ移行させて切り替える切替手段を設けて、
通信制御回路が切り替えられると、制御機が接続される中継器も切り替わることを特徴とする。
請求項１に記載の発明によれば、制御機に、通信に使用する通信制御回路を複数設けるとともに、各通信制御回路毎にＬＡＮ接続のための接続端子を夫々１つ設けており、各接続端子と中継器とを異なるＬＡＮケーブルにより接続するとともに、通信制御回路のうちの何れか１つを使用して通信を行う一方、廊下灯とナースコール親機と制御機との少なくとも何れか１つに、使用している通信制御回路での通信において所定の通信異常の発生を検知すると、通信に使用する通信制御回路を、使用していた通信制御回路から他の通信制御回路へ切り替える切替手段を設けているため、たとえ使用していた通信制御回路に係るＬＡＮケーブルが断線したとしても、異なる通信制御回路を使用して通信を維持することができる。したがって、ナースコールシステムの信頼性を向上することができる。
【０００７】
加えて、接続端子毎に異なる中継器に接続しているため、ＬＡＮケーブルの断線のみならず、中継器の故障に起因した通信異常にも対応することができ、ナースコールシステムの信頼性を一層向上することができる。
【発明の効果】
【０００８】
本発明によれば、制御機に、通信に使用する通信制御回路を複数設けるとともに、各通信制御回路毎にＬＡＮ接続のための接続端子を夫々１つ設けており、各接続端子と中継器とを異なるＬＡＮケーブルにより接続するとともに、通信制御回路のうちの何れか１つを使用して通信を行う一方、廊下灯とナースコール親機と制御機との少なくとも何れか１つに、使用している通信制御回路での通信において所定の通信異常の発生を検知すると、通信に使用する通信制御回路を、使用していた通信制御回路から他の通信制御回路へ切り替える切替手段を設けている。したがって、たとえ使用していた通信制御回路に係るＬＡＮケーブルが断線したとしても、異なる通信制御回路を使用して通信を維持することができることになり、ナースコールシステムの信頼性を向上することができる。
【図面の簡単な説明】
【０００９】
【図１】ナースコールシステムの全体構成を示したシステム説明図である。
【図２】廊下灯、ナースコール親機、及び制御機の接続態様を示したブロック構成図である。
【図３】廊下灯、ナースコール親機、及び制御機の接続態様の変更例を示したブロック構成図である。
【発明を実施するための形態】
【００１０】
以下、本発明の一実施形態となるナースコールシステムについて、図面にもとづき詳細に説明する。
【００１１】
ナースコールシステム１０の全体的な構成について、図１をもとに簡略に説明する。図１は、ナースコールシステム１０の全体構成を示したシステム説明図である。
ナースコールシステム１０は、病室内で各ベッド毎にその近傍位置に設置され、患者が看護師を呼び出すためのナースコール子機１、１・・と、病室の出入口の近傍に設置され、ナースコール子機１による呼び出し操作を点滅等で報知するとともに呼出信号を中継する廊下灯２、２・・と、ナースステーション等に設置され、ナースコール子機１、１・・からの呼び出し操作を報知するとともにその呼び出しに応答するためのナースコール親機３と、それら機器の通話動作等を制御する制御機５とを有してなる。そして、廊下灯２、２・・、ナースコール親機３、及び制御機５は、ＬＡＮ回線Ｌ１により接続されている。
【００１２】
ここで、本発明の要部となる制御機５と廊下灯２やナースコール親機３との接続構造について、図１及び図２にもとづき詳細に説明する。図２は、廊下灯２、ナースコール親機３、及び制御機５の接続態様を示したブロック構成図である。
廊下灯２は、患者氏名等の患者情報を表示する患者情報表示部２ａ、及びナースコール子機１による呼び出しの発生を表示する呼出表示部２ｂを有しており、ナースコール子機１からの呼出信号を中継して制御機５に送信する。また、廊下灯２には、呼出表示部２ｂにおける表示動作や呼出信号の中継動作を制御する廊下灯ＣＰＵ２１と、呼出表示部２ｂでの表示に係る処理を行う表示処理部２２と、ナースコール子機１が接続される子機ＩＦ２３と、制御機５側に接続される廊下灯通信ＩＦ２４と、制御機５の第１通信ＣＰＵ５２及び第２通信ＣＰＵ５３のマックアドレスや廊下灯ＣＰＵ２１のマックアドレスを記憶する記憶部２６等とが内蔵されている。なお、２５は、ＬＡＮ接続のための接続端子である。また、廊下灯ＣＰＵ２１のマックアドレスは、予め記憶部２６に記憶されている。
【００１３】
ナースコール親機３は、報音部３ａ（通話部）、ナースコール子機１からの呼び出しに応答するためのハンドセット３ｂ（通話部）、患者情報を表示するモニタ３ｃ（表示部）、及び病棟レイアウトや患者の詳細情報等を表示するディスプレイ３ｄ（表示部）を有している。また、ナースコール親機３には、通話動作や表示動作を制御する親機ＣＰＵ３１と、モニタ３ｃやディスプレイ３ｄ等の表示部で表示する映像を処理する映像処理部３２と、報音部３ａやハンドセット３ｂ等の通話部での通話に係る音声を処理する音声処理部３３と、制御機５側に接続される親機通信ＩＦ３４と、制御機５の第１通信ＣＰＵ５２及び第２通信ＣＰＵ５３のマックアドレスや親機ＣＰＵ３１のマックアドレスを記憶する記憶部３６等が内蔵されている。なお、３５は、ＬＡＮ接続のための接続端子である。また、親機ＣＰＵ３１のマックアドレスは、予め記憶部３６に記憶されている。
【００１４】
制御機５は、各機器間での通信動作（たとえばナースコール子機１とナースコール親機３との間での呼出／応答動作に係る信号の送受信動作）等を始め、ナースコールシステム１０全体の動作を制御するものであって、当該制御機５には、全体的な動作を制御するための制御機ＣＰＵ５１と、制御機ＣＰＵ５１による制御のもと各機器間で通信を実行するための第１通信ＣＰＵ５２及び第２通信ＣＰＵ５３と、患者の詳細情報等を記憶する患者ベッド記憶部５４と、第１通信ＣＰＵ５２及び第２通信ＣＰＵ５３のマックアドレスや廊下灯ＣＰＵ２１のマックアドレス、親機ＣＰＵ３１のマックアドレスを記憶するとともに、第１通信ＣＰＵ５２と第２通信ＣＰＵ５３との何れを使用して通信動作を実行するかを切り替えるためのプログラムを記憶した切替設定部５５とが内蔵されている。なお、５６は、第１通信ＣＰＵ５２をＬＡＮ接続すべく、ＬＡＮケーブルＫ１を接続可能な接続端子である。また、５７は、第２通信ＣＰＵ５３をＬＡＮ接続すべく、ＬＡＮケーブルＫ２を接続可能な接続端子である。さらに、第１通信ＣＰＵ５２のマックアドレスと、第２通信ＣＰＵ５３のマックアドレスとは異なっており、両通信ＣＰＵ５２、５３のマックアドレスを始め全てのマックアドレスは切替設定部５５に予め記憶されている。
【００１５】
そして、ナースコールシステム１０において、上記廊下灯２、インターホン親機３、及び制御機５は、ＨＵＢ７を介してＬＡＮ回線Ｌ１で接続されている。このとき、特に制御機５とＨＵＢ７との間に関しては、接続端子５６とＨＵＢ７とを繋ぐＬＡＮケーブルＫ１、及び接続端子５７とＨＵＢ７とを繋ぐＬＡＮケーブルＫ２の２本のＬＡＮケーブルで接続されている。したがって、第１通信ＣＰＵ５２と第２通信ＣＰＵ５３とは夫々独立して廊下灯２及びインターホン親機３とＬＡＮ接続されており、夫々独立に廊下灯２やナースコール親機３との間で通信可能となっている。
【００１６】
また、ナースコールシステム１０では、以下のようにして制御機５と廊下灯２やナースコール親機３とが通信可能に接続される。まずナースコールシステム１０の初期化時、制御機ＣＰＵ５１が、第１通信ＣＰＵ５２をメインで使用する通信ＣＰＵとし、第１通信ＣＰＵ５２に割り当てられているマックアドレスを用い、廊下灯ＣＰＵ２１及び親機ＣＰＵ３１に対して接続要求を行う。そして、制御機５と廊下灯２及びナースコール親機３との間で接続が確立されると、制御機ＣＰＵ５１は、通信異常が発生した際に使用する予備の通信ＣＰＵ（ここでは第２通信ＣＰＵ５３となる）のマックアドレスを廊下灯２及びナースコール親機３に送信し、廊下灯ＣＰＵ２１及び親機ＣＰＵ３１は、受信したマックアドレスを夫々の記憶部２６、３６に記憶する。また、制御機ＣＰＵ５１は、第２通信ＣＰＵ５３を通常モード（各種信号の発信動作を行う状態）よりも消費電力が低いスリープモード（たとえば、数秒に１回しか作動させない状態等）で作動させる一方、第１通信ＣＰＵ５２を使用して、廊下灯２やナースコール親機３との間で信号を送受信する等、ナースコールシステム１０の動作を制御する。なお、制御機５と廊下灯２やナースコール親機３との間での通信は常時行われている。
【００１７】
ここで、ＬＡＮケーブルＫ１が断線すると、制御機５と廊下灯２及びナースコール親機３との間での通信が不可能となる。したがって、制御機ＣＰＵ５１は、廊下灯２やナースコール親機３との間での通信が数秒間以上にわたって行えない状態を検出すると、ＬＡＮケーブルＫ１が断線している等の通信異常が発生しているとして、第１通信ＣＰＵ５２をスリープモードへ移行させるとともに第２通信ＣＰＵ５３を通常モードへ移行させる。そして、第２通信ＣＰＵ５３に割り当てられているマックアドレスを用いて廊下灯ＣＰＵ２１及び親機ＣＰＵ３１に対し接続要求を行う等して、制御機５と廊下灯２及びナースコール親機３との間での接続を確立させた後、第２通信ＣＰＵ５３を使用して、ナースコールシステム１０の動作を制御する。
【００１８】
以上のような構成を有するナースコールシステム１０によれば、制御機５に、通信に使用する２つの通信ＣＰＵ５２、５３を設けるとともに、各通信ＣＰＵ５２、５３毎にＬＡＮ接続のための接続端子５６、５７を夫々１つ設け、各接続端子５６、５７とＨＵＢ７とを異なるＬＡＮケーブルＫ１、Ｋ２により接続し、通常は第１通信ＣＰＵ５２を使用して通信を行う。そして、制御機５では、第１通信ＣＰＵ５２での通信において所定の通信異常の発生を検知すると、通信に使用する通信ＣＰＵを、第１通信ＣＰＵ５２から第２通信ＣＰＵ５３へ切り替える。したがって、たとえ第１通信ＣＰＵ５２をＬＡＮ接続するためのＬＡＮケーブルＫ１が断線したとしても、第２通信ＣＰＵ５３を使用して通信を維持することができることになり、ナースコールシステム１０の信頼性を向上することができる。
【００１９】
なお、本発明に係るナースコールシステムは、上記実施形態の態様に何ら限定されるものではなく、ナースコールシステムの全体的な構成は勿論、通信に使用する通信ＣＰＵの切り替え動作に係る構成について、本発明の趣旨を逸脱しない範囲で、必要に応じて適宜変更することができる。
【００２０】
たとえば、上記実施形態では、制御機５から延びるＬＡＮケーブルＫ１、Ｋ２を同じＨＵＢ７に接続しているが、図３に示すように、ＬＡＮケーブルＫ１、Ｋ２毎に異なるＨＵＢ６１、６２へ接続するように構成することも可能である。すなわち、接続端子５６に接続されたＬＡＮケーブルＫ１を第１ＨＵＢ６１に、接続端子５７に接続されたＬＡＮケーブルＫ２を第２ＨＵＢ６２に夫々接続するとともに、第１ＨＵＢ６１と第２ＨＵＢ６２とを第３ＨＵＢ６３を介して接続し、廊下灯２やナースコール親機３を第２ＨＵＢ６２や第３ＨＵＢ６３に夫々接続してもよい。当該構成を採用しても、第１通信ＣＰＵ５２と第２通信ＣＰＵ５３とは夫々独立して廊下灯２及びインターホン親機３とＬＡＮ接続されることになり、信頼性の向上といった上記実施形態のナースコールシステムと同じ効果を奏することができる。また、ＬＡＮケーブルＫ１、Ｋ２の断線による通信異常のみならず、第１ＨＵＢ６１や第２ＨＵＢ６２の故障による通信異常にも対応することができ、ナースコールシステムの信頼性を向上することができる。
【００２１】
また、上記実施形態では、制御機５側で使用する通信ＣＰＵを切り替えるように構成しているが、廊下灯２やナースコール親機３側から使用する通信ＣＰＵを切り替えるように構成してもよい。すなわち、廊下灯ＣＰＵ２１や親機ＣＰＵ３１が、第１通信ＣＰＵ５２との間での通信異常の発生を検知すると、記憶部２６、３６に記憶しているマックアドレスをもとに第２通信ＣＰＵ５３に対して接続要求を行い、第２通信ＣＰＵ５３は接続要求をうけて通常モードへ移行し、通信を維持するように構成してもよい（すなわち、切替手段を廊下灯２やナースコール親機３に設けてもよい）。その場合、第１通信ＣＰＵ５２は、制御機ＣＰＵ５１によりスリープモードへ移行させればよい。さらに、切替手段を制御機５と廊下灯２やナースコール親機３との両方に設け、通信異常の発生を早く検知した機器が、通信ＣＰＵの切替動作を実行するように構成することも可能である。
加えて、上記実施形態では、制御機５に２つの通信ＣＰＵ５２、５３を設けているが、３個以上の通信ＣＰＵを設けても何ら問題はないし、廊下灯２やナースコール親機３の記憶部２６、３６に予備で使用する通信ＣＰＵのマックアドレスを記憶するにあたり、初期化時に制御機５から送信するのではなく、予め記憶部２６、３６に記憶しておくようにしても何ら問題はない。
【符号の説明】
【００２２】
１・・ナースコール子機、２・・廊下灯、３・・ナースコール親機、５・・制御機、７・・ＨＵＢ（中継器）、２１・・廊下灯ＣＰＵ（切替手段）、２６・・記憶部（切替手段）、３１・・親機ＣＰＵ（切替手段）、３６・・記憶部（切替手段）、５１・・制御機ＣＰＵ（切替手段）、５２・・第１通信ＣＰＵ（通信制御回路）、５３・・第２通信ＣＰＵ（通信制御回路）、５５・・切替設定部（切替手段）、５６、５７・・接続端子、６１・・第１ＨＵＢ（中継器）、６２・・第２ＨＵＢ（中継器）、６３・・第３ＨＵＢ（中継器）。
【図１】
0006537239.tif 000002
【図２】
0006537239.tif 000003
【図３】
0006537239.tif 000004